(57)【要約】  【課題】  クレードル自体が大きくなってしまうことを防ぐことを目的とする。  【解決手段】  本発明では、カメラシステムにおいて、第１コネクタを備えた第１デジタルカメラと、前記第１デジタルカメラのために用意され、前記第１デジタルカメラが載置できるように前記第１デジタルカメラの形状に合わせて形成された部位を持つ第１アダプタと、前記第１アダプタと接続する第２アダプタと、第２アダプタと接続し、前記第１アダプタに載置された前記第１デジタルカメラの第１コネクタと直接接続する第２コネクタを備えたクレードルとを有する構成とした。【選択図】  図４
2006324820.tif 000002
【特許請求の範囲】
【請求項１】
第１コネクタを備えた第１デジタルカメラと、
前記第１デジタルカメラのために用意され、前記第１デジタルカメラが載置できるように前記第１デジタルカメラの形状に合わせて形成された部位を持つ第１アダプタと、
前記第１アダプタと接続する第２アダプタと、
第２アダプタと接続し、前記第１アダプタに載置された前記第１デジタルカメラの第１コネクタと直接接続する第２コネクタを備えたクレードルとを有することを特徴とするカメラシステム。
【請求項２】
請求項１に記載のデジタルカメラシステムにおいて、
前記第２アダプタは、前記第１デジタルカメラと異なる機種の第２デジタルカメラのために用意され、前記第２デジタルカメラが載置できるように前記第２デジタルカメラの形状に合わせて形成された部位を持つ第３アダプタとも接続可能であることを特徴とするデジタルカメラシステム。
【請求項３】
請求項２に記載のデジタルカメラシステムにおいて、
前記第１アダプタと前記第３アダプタとは、第２アダプタと接続する接続機構を同一にし、前記第２アダプタを兼用可能にしたことを特徴とするデジタルカメラシステム。
【請求項４】
請求項１に記載のデジタルカメラシステムにおける前記第２アダプタを使用することなく前記第１アダプタと接続し接続部と、前記第１デジタルカメラの第１コネクタと直接接続する第３コネクタとを備えたことを特徴とするデジタルカメラ用クレードル。
【請求項５】
請求項４に記載のデジタルカメラ用クレードルにおいて、
前記接続部と前記第１アダプタとの接続機構は、前記第２アダプタと前記第１アダプタとの接続機構を同一であることを特徴とするデジタルカメラ用クレードル。
【発明の詳細な説明】
【技術分野】
【０００１】
本発明は、被写体を撮像するデジタルカメラに使用されるカメラシステムおよびクレードルに関する。
【背景技術】
【０００２】
特開２０００−３５４２１８号公報には、１つのクレードルを兼用するためデジタルカメラの機種に対応したアダプタを用意することが開示されている。
【特許文献１】特開２０００−３５４２１８号公報
【発明の開示】
【発明が解決しようとする課題】
【０００３】
しかし、アダプタが大きいとクレードル自体が大きくなってしまう。
【課題を解決するための手段】
【０００４】
請求項１に記載の発明では、カメラシステムにおいて、第１コネクタを備えた第１デジタルカメラと、前記第１デジタルカメラのために用意され、前記第１デジタルカメラが載置できるように前記第１デジタルカメラの形状に合わせて形成された部位を持つ第１アダプタと、前記第１アダプタと接続する第２アダプタと、第２アダプタと接続し、前記第１アダプタに載置された前記第１デジタルカメラの第１コネクタと直接接続する第２コネクタを備えたクレードルとを有する構成とした。
【０００５】
請求項２に記載の発明では、請求項１に記載のデジタルカメラシステムにおいて、前記第２アダプタは、前記第１デジタルカメラと異なる機種の第２デジタルカメラのために用意され、前記第２デジタルカメラが載置できるように前記第２デジタルカメラの形状に合わせて形成された部位を持つ第３アダプタとも接続可能である構成とした。
【０００６】
請求項３に記載の発明では、請求項２に記載のデジタルカメラシステムにおいて、前記第１アダプタと前記第３アダプタとは、第２アダプタと接続する接続機構を同一にし、前記第２アダプタを兼用可能にした構成とした。
【０００７】
請求項４に記載の発明では、デジタルカメラ用クレードルにおいて、請求項１に記載のデジタルカメラシステムにおける前記第２アダプタを使用することなく前記第１アダプタと接続し、前記第１デジタルカメラの第１コネクタと直接接続する第３コネクタを備えた構成とした。
【０００８】
請求項５に記載の発明では、請求項４に記載のデジタルカメラ用クレードルにおいて、前記接続部と前記第１アダプタとの接続機構は、前記第２アダプタと前記第１アダプタとの接続機構を同一である構成とした。
【発明の効果】
【０００９】
以上のように本発明によれば、クレードルを構成する部品を共通化でき、コストの安いシステムを提供することができる。
【発明を実施するための最良の形態】
【００１０】
以下に本発明の実施形態について図面を用いて説明する。
図１は、本発明の実施形態によるカメラシステムを示す図である。カメラシステムは、プリンタ１、プリンタアダプタ２、クレードルアダプタ３、デジタルカメラ４で構成される。図１において、プリンタ１にプリンタアダプタ２、クレードルアダプタ３が取り付けられ、更にデジタルカメラ４がプリンタ１に載置された状態を示している。
【００１１】
プリンタ１は、載置されたデジタルカメラ４内に蓄積された画像データを外部の蓄積装置に転送する際に使用され、また、デジタルカメラ４内の充電池を充電する際に使用される。また、プリンタ１は、プリンタ機能を備え、デジタルカメラ４内に蓄積された画像データをプリントすることができる。プリンタ１の背面には、マルチコネクタ１０１と電気的に接続された、図１０に示すＵＳＢ端子９０３、Ａ／Ｖ端子９０２、電源端子９０１が設けられている。
【００１２】
プリンタアダプタ２は、プリンタ１に嵌めこまれて固定される。クレードルアダプタ３は、プリンタアダプタ２と結合される。また、クレードルアダプタ３は、図１に示しているデジタルカメラ４が載置された状態で安定するように、カメラ底部の形状に合わせて壁が形成されている。このように、プリンタ１、プリンタアダプタ２、クレードルアダプタがそれぞれ結合されることによりデジタルカメラ４に対応するプリンタ（クレードル）として機能する。
【００１３】
図２は、プリンタ１にデジタルカメラ４が載置されていない状態を示す図である。また、図３は、プリンタ１を上面からの見た外観を示す図である。また、図４は、プリンタ１、プリンタアダプタ２、クレードルアダプタ３をそれぞれ分離した状態を示す図である。
【００１４】
プリンタ１には、マルチコネクタ１０１、溝部１０２、用紙排出部１０３が設けられている。
マルチコネクタ１０１は、デジタルカメラ４の底部に設けられたコネクタ（不図示）と接続するコネクタである。マルチコネクタ１０１は、ＵＳＢインターフェース用信号端子、Ａ／Ｖ信号用端子、電源供給用端子等の端子を複合したコネクタである。
【００１５】
溝部１０２は、プリンタアダプタ２が嵌めこまれる溝である。
用紙排出部１０３は、プリンタ１のプリント部でプリントされた用紙を排出する口である。
【００１６】
プリンタアダプタ２には、４つのピン２０１、切り欠き部２０２が設けられている。
ピン２０１は、プリンタアダプタ２とクレードルアダプタ３とを位置決めするためのピンであり、クレードルアダプタ３の突起部３０１に設けられた穴部に嵌め込まれる。
【００１７】
切り欠き部２０２は、アダプタ３の底部が入り込むために空けられた切り欠きである。
クレードルアダプタ３には、突起部３０１、切り欠き部３０２が設けられている。
突起部３０１は、プリンタアダプタ２の４つのピン部に合わせて４箇所に設けれ、ピン部が嵌め込まれる穴部を有する。
【００１８】
切り欠き部３０２は、プリンタ１のマルチコネクタ１０１が貫通させるための切り欠きである。
また、クレードルアダプタ３は、小型のクレードル用にも兼用して用いられる。
【００１９】
図５、図６は、本発明の実施形態のクレードルシステムを示す図である。図５は、クレードル５、クレードルアダプタ３が接続された状態を示し、図６は、クレードル５、クレードルアダプタ３が分離された状態を示す。
【００２０】
クレードル５は、上述したプリンタ１からプリント機能を省き、小型化したものである。
クレードル５の背面には、マルチコネクタ５０１と電気的に接続された、図１０に示すＵＳＢ端子９０３、Ａ／Ｖ端子９０２、電源端子９０１が設けられている。
【００２１】
クレードル５には、マルチコネクタ５０１、４つのピン５０２が設けられている。
この４つのピン５０２とマルチコネクタ５０１との位置関係と、プリンタ１にプリンタアダプタ２を接続した状態における、ピン２０１とマルチコネクタ１０１との位置関係を同一にすることでクレードルアダプタ３を兼用することを実現する。
【００２２】
また、プリンタ１、クレードル５は、クレードルアダプタ３を取り替えることによりデジタルカメラ４と異なる機種のデジタルカメラ用として使用できる。
図７は、上述した実施形態におけるデジタルカメラ４より小型のデジタルカメラ７に対応するため、クレードルアダプタ３の代わりにクレードルアダプタ６を用いたカメラシステムを示す図である。また、図８は、プリンタ１を上面から見た外観図である。
【００２３】
クレードルアダプタ６には、クレードルアダプタ３と同様に、突起部６０１、切り欠き部６０２が設けられている。
突起部６０１は、プリンタアダプタ２の４つのピン部に合わせて４箇所に設けれ、ピン部が嵌め込まれる穴部を有する。
【００２４】
切り欠き部６０２は、プリンタ１のマルチコネクタ１０１が貫通させるための切り欠きである。
この４つの突起部６０１に設けられた穴部と切り欠き部６０２との位置関係を、クレードルアダプタ３の突起部３０１に設けられた穴部と切り欠き部３０２との位置関係と同一にすることでプリンタアダプタ２を兼用することを実現する。
【００２５】
同様に、クレードルアダプタ３とクレードルアダプタ６を使用することで、異なるデジタルカメラでもクレードル５を兼用して使用することができる。図９に、クレードル５にクレードルアダプタ６を接続した状態を示す。
【００２６】
以上のように、大きさの異なる複数のデジタルカメラにクレードルを共用させるため、デジタルカメラに合わせたクレードルアダプタを介して、デジタルカメラとクレードルとを結合するようにした。そして、クレードルアダプタは、更に別の連結部品であるプリンタアダプタと結合することにより、別の周辺機器であるプリンタとデジタルカメラを結合するアダプタとして使用することができるようにした。また、プリンタアダプタは、複数のクレードルアダプタと結合できる形状とした。これにより、クレードルアダプタ以外の部品を共通化できるので、コストを低減することができる。また、構成上、収納時のサイズを小型化できる。
【００２７】
次に、本発明の第２実施形態のクレードルを説明する。
上述した実施形態では、クレードルアダプタを交換することで異なる種類のデジタルカメラでクレードル５を兼用する例を示した。本実施形態では、クレードルは機種毎に提供するが、クレードルを構成するできるだけ多くの部材を共通化する例を示す。
【００２８】
図１０は、本発明の第２実施形態のクレードルを示す図である。図１０（ａ）に示す図は、クレードルの外観を示し、図１０（ｂ）に示す図は、上カバー１０を外した状態を示す。
【００２９】
クレードルは、下カバー９、上カバー１０、ＵＳＢ端子９０３、Ａ／Ｖ端子９０２、電源端子９０１、メイン基板９０４、コネクタ９０５、フレキシブル基板９０６、コネクタ基板１１、マルチコネクタ１１０１、コネクタ１１０２を備える。
【００３０】
下カバー９には、メイン基板９０４が固定され、ＵＳＢ端子９０３、Ａ／Ｖ端子９０２、電源端子９０１が外部に露出するように設けられている。下カバー９の大きさは、対応させるデジタルカメラの最大サイズのものに合わせる。
【００３１】
メイン基板９０４は、ＵＳＢ端子９０３、Ａ／Ｖ端子９０２、電源端子９０１、コネクタ９０５が搭載されている。
ＵＳＢ端子９０３は、パソコン、プリンタ等のＵＳＢ端子を備える外部機器と接続して、デジタルカメラと外部機器との間で画像データ等の信号の授受を実現する端子である。Ａ／Ｖ端子９０２は、テレビ等のＡ／Ｖ端子を備える外部機器に映像、音声信号を出力する端子である。電源端子９０１は、デジタルカメラに供給するための電力を入力するための端子である。コネクタ９０５はフレキシブル基板９０６を接続するためのコネクタである。
【００３２】
フレキシブル基板９０６は、メイン基板９０４とコネクタ基板１１とを電気的に接続するための基板である。フレキシブル基板９０６は、コネクタ基板１１がクレードル内のどこに配置されても届く長さを持っている。また、メイン基板９０４とコネクタ基板１１とを電気的に接続できるものであれば、フレキシブル基板でなくても電気ケーブル等でもよい。
【００３３】
コネクタ基板１１は、マルチコネクタ１１０１、コネクタ１１０２が搭載されている。
マルチコネクタ１１０１は、デジタルカメラの底部に設けられたコネクタと接続されるコネクタである。また、マルチコネクタ１１０１は、ＵＳＢ端子９０３、Ａ／Ｖ端子９０２、電源端子９０１、コネクタ９０５と電気的に接続されている。コネクタ１１０２は、フレキシブル基板９０６と接続するためのコネクタである。
【００３４】
また、コネクタ基板１１には、コネクタ基板１１を上カバー１０に固定するときに用いられる２つ穴部１１０３が設けられている。コネクタ基板１１を上カバー１０に固定する構造について図１１を用いて説明する。
【００３５】
図１１は、コネクタ基板１１と上カバー１０との関係を示す断面図である。
上カバー１０には、マルチコネクタ１１０１が貫通する間隙が設けられ、また、ネジ受け部１００１が固接されている。ネジ１１０４をコネクタ基板１１の穴部１１０３を貫通させネジ受け部１１０１にねじ込むことにより、コネクタ基板１１を上カバー１０に固定することができる。なお、コネクタ基板１１と上カバー１０との固定方法は、これに限らず、接着剤等を用いて固定してもよい。
【００３６】
図１２は、図１０に示すクレードルに使用されるデジタルカメラと異なる機種のデジタルカメラに対応するクレードルを示す図である。
図１２に示すクレードルは、図１０に示すクレードルとは、マルチコネクタ１１０１が配置される位置が異なっており、上カバー１２のみデジタルカメラ専用に製造され、その他は共通である。
【００３７】
また、コネクタ基板１１を上カバー１２に固定する構造も、取り付ける位置が異なるのみで、図１１を用いて説明した構造で固定できる。
このように、マルチコネクタ１１０１を搭載するコネクタ基板１１とメイン基板９０４とを分離し、それぞれの基板を電気的に結ぶフレキシブル基板９０６の長さを長くしておくことで、上カバー１０のみデジタルカメラの機種専用とし、その他の部品を共通に使用でき、更に製造ラインで全く同じように製造することができるため、コストを安くすることができる。
【００３８】
また、本実施の形態では、フレキシブル基板９０６をコネクタで各基板と接続するようにしたが、各基板にハンダ等で直に接続されるようにしてもよい。
また、本実施の形態では、フレキシブル基板９０６の長さを、コネクタ基板１１がクレードル内のどこに配置されても届く長さにした。しかし、これに限られるものではなく、フレキシブル基板の長さをデジタルカメラの機種毎に変えてもよい。フレキシブル基板の長さを変えたとしてもほぼ共通の部品、製造ラインで製造することができる。
【００３９】
以上のように、大きさの異なる複数のデジタルカメラにクレードルを共用させるため、デジタルカメラと結合する上カバー部品のみ専用とし、残りの下カバー、基板等は共通化したので、コストを低減できる。
【図面の簡単な説明】
【００４０】
【図１】本発明の実施形態によるカメラシステムを示す図である。
【図２】プリンタ１にデジタルカメラ４が載置されていない状態を示す図である。
【図３】プリンタ１を上面からの見た外観を示す図である。
【図４】プリンタ１、プリンタアダプタ２、クレードルアダプタ３をそれぞれ分離した状態を示す図である。
【図５】本発明の実施形態のクレードルシステムを示す図である。
【図６】本発明の実施形態のクレードルシステムを示す図である。
【図７】クレードルアダプタ６を用いたカメラシステムを示す図である。
【図８】プリンタ１を上面から見た外観図である。
【図９】クレードル５にクレードルアダプタ６を接続した状態を示す図である。
【図１０】本発明の第２実施形態のクレードルを示す図である。
【図１１】コネクタ基板１１と上カバー１０との関係を示す断面図である。
【図１２】図１０に示すクレードルに使用されるデジタルカメラと異なる機種のデジタルカメラに対応するクレードルを示す図である。
【符号の説明】
【００４１】
１・・・プリンタ
２・・・プリンタアダプタ
３・・・クレードルアダプタ
４・・・デジタルカメラ
【図１】
2006324820.tif 000003
【図２】
2006324820.tif 000004
【図３】
2006324820.tif 000005
【図４】
2006324820.tif 000006
【図５】
2006324820.tif 000007
【図６】
2006324820.tif 000008
【図７】
2006324820.tif 000009
【図８】
2006324820.tif 000010
【図９】
2006324820.tif 000011
【図１０】
2006324820.tif 000012
【図１１】
2006324820.tif 000013
【図１２】
2006324820.tif 000014